(57)【要約】【課題】電力増幅部に供給する電源電圧精度を向上させ、電源電圧精度のばらつきによる電力増幅部の電力利得ばらつき及び消費電流のばらつきを改善可能な電源装置を提供する。【解決手段】第１電圧監視部４は電力増幅部３に供給される電源電圧を監視し、第２電圧監視部１０は電源１の電圧を監視する。比較部５は第１電圧監視部４で検出された電源電圧とＤＣ／ＤＣコンバータ制御テーブル６の出力とを比較し、第１電圧監視部４で検出された電源電圧と第２電圧監視部１０で検出された電圧とを比較した差分を出力する。制御部８はＤＣ／ＤＣコンバータ制御テーブル６の出力と比較部５からの誤差とを加算し、ＤＣ／ＤＣコンバータ制御電圧生成部９に制御値として設定する。制御部８は比較部５からの差分値を基にバイパスＳＷ１１のＯＮ／ＯＦＦ故障診断を行う。【選択図】      図１
2004179922.tif 000002
【特許請求の範囲】
【請求項１】
入力される送信信号電力を増幅して出力する電力増幅回路に供給される電源電圧を前記電力増幅回路の電力変換効率及び動作特性のいずれかが最適になるような電圧に変換するＤＣ／ＤＣコンバータ回路を含む電源装置であって、前記電力増幅回路に供給される電圧を監視する第１の監視回路と、前記第１の監視回路で検出された前記電力増幅回路への電源電圧と予め格納された前記ＤＣ／ＤＣコンバータ回路の制御電圧値とを比較してそれらの差分を出力する比較回路と、前記比較回路から出力される前記差分がゼロになるように前記ＤＣ／ＤＣコンバータ回路を制御する制御回路とを有することを特徴とする電源装置。
【請求項２】
前記電力増幅回路の動作特性が最適になるように予め決められた前記ＤＣ／ＤＣコンバータ回路の出力電圧とその時の前記ＤＣ／ＤＣコンバータ回路の制御電圧値とを格納するテーブルを含み、
前記比較回路は、前記第１の監視回路で検出された前記電力増幅回路の電源電圧と前記テーブルの出力値とを比較することを特徴とする請求項１記載の電源装置。
【請求項３】
前記ＤＣ／ＤＣコンバータ回路をバイパスするバイパス回路と、前記電源電圧を監視する第２の監視回路と、前記第１の監視回路で検出された前記電力増幅回路への電源電圧と前記第２の監視回路で検出された前記電源電圧とを基に前記バイパス回路のＯＮ／ＯＦＦ機能の故障診断を行う回路とを含むことを特徴とする請求項１または請求項２記載の電源装置。
【請求項４】
入力される送信信号電力を増幅して出力する電力増幅回路に供給される電源電圧を前記電力増幅回路の電力変換効率及び動作特性のいずれかが最適になるような電圧に変換するＤＣ／ＤＣコンバータ回路を含む電源装置のＤＣ／ＤＣコンバータ制御方法であって、前記電源装置側に、前記電力増幅回路に供給される電圧を監視してその検出された前記電力増幅回路への電源電圧と予め格納された前記ＤＣ／ＤＣコンバータ回路の制御電圧値とを比較してそれらの差分を出力する第１のステップと、出力される前記差分がゼロになるように前記ＤＣ／ＤＣコンバータ回路を制御する第２のステップとを有することを特徴とするＤＣ／ＤＣコンバータ制御方法。
【請求項５】
前記第１のステップは、前記電力増幅回路の動作特性が最適になるように予め決められた前記ＤＣ／ＤＣコンバータ回路の出力電圧とその時の前記ＤＣ／ＤＣコンバータ回路の制御電圧値とを格納するテーブルの出力値と、前記第１の監視回路で検出された前記電力増幅回路への電源電圧とを比較することを特徴とする請求項４記載のＤＣ／ＤＣコンバータ制御方法。
【請求項６】
前記電源電圧を監視してその検出された前記電源電圧と、前記検出された前記電力増幅回路への電源電圧とを基に前記ＤＣ／ＤＣコンバータ回路をバイパスするバイパス回路のＯＮ／ＯＦＦ機能の故障診断を行うステップを含むことを特徴とする請求項４または請求項５記載のＤＣ／ＤＣコンバータ制御方法。
【発明の詳細な説明】
【０００１】
【発明の属する技術分野】
本発明は電源装置及びそれに用いるＤＣ／ＤＣコンバータ制御方法に関し、特に電力増幅回路に電源電圧を供給する電源装置に関する。
【０００２】
【従来の技術】
従来、この種の電源装置においては、電源制御装置及び電源制御方法によって、電源が常に低電力損失になるように、電力増幅部に供給される電源電圧が制御されている（例えば、特許文献１参照）。
【０００３】
上記のような電源電圧制御方法について図１０〜図１２を参照して説明する。
図８は従来の制御方法を用いた回路の構成を示している。図１０において、この回路は電源１と、ＤＣ／ＤＣコンバータ２と、電力増幅器３と、制御部８と、ＤＣ／ＤＣコンバータ制御電圧生成部９と、第２電圧監視部１０と、バイパスＳＷ（スイッチ）１１とから構成されている。
【０００４】
図１１はＤＣ／ＤＣコンバータ２の内部構成を示したものであり、ＤＣ／ＤＣコンバータ２の出力電圧に誤差が生じる原因として、出力電圧監視抵抗２５，２６の部品定数誤差や、基準電圧２７の誤差、オペアンプ２８の入力オフセット電圧、入力バイアス電流、入力オフセット電流等を要因とする誤差がある。
【０００５】
図１２は従来の回路を示しているが、制御部８はＤＣ／ＤＣコンバータ制御テーブル６が持つＤＣ／ＤＣコンバータ制御電圧Ｖｒｅｆを、ＤＣ／ＤＣコンバータ制御電圧生成部９に設定する。ここで、Ｄ／Ａ（ディジタル／アナログ）変換される際、誤差分ｅ１が加算され、Ｖｒｅｆ’＝Ｖｒｅｆ＋ｅ１の電圧がＤＣ／ＤＣコンバータ２に入力される。ＤＣ／ＤＣコンバータ出力電圧Ｖｏは誤差分ｅ２がさらに加算され、Ｖｏ＝Ｖｒｅｆ＋ｅ１＋ｅ２になる。ＤＣ／ＤＣコンバータ出力電圧の目標値に対する誤差はｅ１＋ｅ２になる。
【０００６】
【特許文献１】
特開２００１−３２０２８８号公報（第９，１０頁、図１）
【０００７】
【発明が解決しようとする課題】
上述した従来の電源電圧制御方法では、ＤＣ／ＤＣコンバータ２の出力電圧に誤差が発生することによって、電力増幅部３に電力利得ばらつきが発生する。これを解決するには、生産ラインでのＤＣ／ＤＣコンバータ出力電圧の調整工程が必要となり、あるいはＤＣ／ＤＣコンバータ２に使用する部品を高精度特性品にする等が必要となり、生産コストの高騰を招くという問題がある。
【０００８】
また、バイパスＳＷ１１のＯＮ／ＯＦＦ故障診断を行う際には、図１３に示すように、電力増幅部３に供給する電圧部にテストピンを当てて、生産設備側の電圧計３１で監視し、バイパスＳＷ１１のＯＮ／ＯＦＦ時の電圧を比較することによって診断を行っている。
【０００９】
そのため、バイパスＳＷ１１のＯＮ／ＯＦＦ故障診断を行う際には、生産設備側の回路の電圧を測定する手段、検査時間等を必要とし、生産コストの高コスト化を招くという問題がある。
【００１０】
そこで、本発明の目的は上記の問題点を解消し、電力増幅部に供給する電源電圧精度を向上させることができ、電源電圧精度のばらつきによる電力増幅部の電力利得ばらつき及び消費電流のばらつきを改善することができる電源装置及びそれに用いるＤＣ／ＤＣコンバータ制御方法を提供することにある。
【００１１】
また、本発明の他の目的は、外部に監視する手段を必要とすることなく、バイパススイッチのＯＮ／ＯＦＦ故障診断を行うことができる電源装置及びそれに用いるＤＣ／ＤＣコンバータ制御方法を提供することにある。
【００１２】
【課題を解決するための手段】
本発明による電源装置は、入力される送信信号電力を増幅して出力する電力増幅回路に供給される電源電圧を前記電力増幅回路の電力変換効率及び動作特性のいずれかが最適になるような電圧に変換するＤＣ／ＤＣコンバータ回路を含む電源装置であって、前記電力増幅回路に供給される電圧を監視する第１の監視回路と、前記第１の監視回路で検出された前記電力増幅回路への電源電圧と予め格納された前記ＤＣ／ＤＣコンバータ回路の制御電圧値とを比較してそれらの差分を出力する比較回路と、前記比較回路から出力される前記差分がゼロになるように前記ＤＣ／ＤＣコンバータ回路を制御する制御回路とを備えている。
【００１３】
本発明による他の電源装置は、上記の構成のほかに、前記ＤＣ／ＤＣコンバータ回路をバイパスするバイパス回路と、前記電源電圧を監視する第２の監視回路と、前記第１の監視回路で検出された前記電力増幅回路への電源電圧と前記第２の監視回路で検出された前記電源電圧とを基に前記バイパス回路のＯＮ／ＯＦＦ機能の故障診断を行う回路とを具備している。
【００１４】
本発明によるＤＣ／ＤＣコンバータ制御方法は、入力される送信信号電力を増幅して出力する電力増幅回路に供給される電源電圧を前記電力増幅回路の電力変換効率及び動作特性のいずれかが最適になるような電圧に変換するＤＣ／ＤＣコンバータ回路を含む電源装置のＤＣ／ＤＣコンバータ制御方法であって、前記電源装置側に、前記電力増幅回路に供給される電圧を監視してその検出された前記電力増幅回路への電源電圧と予め格納された前記ＤＣ／ＤＣコンバータ回路の制御電圧値とを比較してそれらの差分を出力する第１のステップと、出力される前記差分がゼロになるように前記ＤＣ／ＤＣコンバータ回路を制御する第２のステップとを備えている。
【００１５】
本発明による他のＤＣ／ＤＣコンバータ制御方法は、上記の処理のほかに、前記電源電圧を監視してその検出された前記電源電圧と、前記検出された前記電力増幅回路への電源電圧とを基に前記ＤＣ／ＤＣコンバータ回路をバイパスするバイパス回路のＯＮ／ＯＦＦ機能の故障診断を行うステップを備えている。
【００１６】
すなわち、本発明の電源装置は、電力増幅回路に電源電圧を供給する電源装置において、ＤＣ／ＤＣコンバータの出力電圧を監視する手段を持ち、ＤＣ／ＤＣコンバータの出力電圧と目標電圧との誤差がゼロになるように、ＤＣ／ＤＣコンバータ制御電圧を可変するような自己補正を行っている。
【００１７】
これによって、本発明の電源装置では、電力増幅部に供給する電源電圧精度を向上させることが可能となり、電源電圧精度のばらつきによる電力増幅部の電力利得ばらつき及び消費電流のばらつきを改善することが可能となる。
【００１８】
また、本発明の電源装置は、バイパスＳＷ（スイッチ）のＯＮ／ＯＦＦ時のバイパスＳＷの入出力電圧を監視して比較する機能を備えている。これによって、本発明の電源装置では、外部に監視する手段を必要とすることなく、バイパスＳＷのＯＮ／ＯＦＦ故障診断を行うことが可能となる。
【００１９】
より具体的に説明すると、本発明の電源装置では、電力増幅部に供給される電源電圧として、電源の電圧をＤＣ／ＤＣコンバータによって電圧変換した後に供給している。
【００２０】
また、本発明の電源装置では、この電圧を監視する手段として第１電圧監視部を持ち、ＤＣ／ＤＣコンバータ制御テーブル内に持っている目標電圧値との差分を比較部にて計算し、それを誤差として制御部に出力する。制御部はこの誤差がゼロになるようにＤＣ／ＤＣコンバータ制御電圧生成部に対して制御電圧の設定を行うような自己補正動作を行う。
【００２１】
これによって、本発明の電源装置では、電力増幅部に供給する電源電圧精度を向上させることが可能となり、電源電圧精度のばらつきによる電力増幅部の電力利得ばらつき及び消費電流のばらつきを改善することが可能となる。
【００２２】
また、本発明の電源装置では、ＤＣ／ＤＣコンバータをバイパスするバイパスＳＷと、このバイパスＳＷの入出力の電圧を第１電圧監視部及び第２電圧監視部で監視し、比較部で差分を計算している。これによって、本発明の電源装置では、外部に電圧を監視する手段を必要なく、バイパスＳＷのＯＮ／ＯＦＦ故障診断を行うことが可能となる。
【００２３】
これによって、本発明の電源装置では、生産ラインでのＤＣ／ＤＣコンバータ出力電圧の調整や電圧監視を行う設備、ＤＣ／ＤＣコンバータ回路に使用する部品を高精度特性品とすること等による生産コストの高コスト化を招くことなく、低コストな電源回路及び制御方法を提供することが可能となる。
【００２４】
【発明の実施の形態】
次に、本発明の実施例について図面を参照して説明する。図１は本発明の一実施例による電源装置を制御する回路の構成を示すブロック図である。図１において、本発明の一実施例による電源装置を制御する回路は電源１と、ＤＣ／ＤＣコンバータ２と、電力増幅器３と、第１電圧監視部４と、比較部５と、ＤＣ／ＤＣコンバータ制御テーブル６と、制御部８と、ＤＣ／ＤＣコンバータ制御電圧生成部９と、第２電圧監視部１０と、バイパスＳＷ（スイッチ）１１とから構成されている。
【００２５】
電源１はバッテリや直流安定化電源によって構成されている。ＤＣ／ＤＣコンバータ２では電源１の電圧を電力増幅器３の電力変換効率または動作特性が最適になるように予め決めらた電圧に変換する機能を持つ。
【００２６】
バイパスＳＷ１１は電力増幅部３に供給するＤＣ／ＤＣコンバータ２をバイパスする機能を持つ。また、バイパスＳＷ１１は第１電圧監視部４と、第２電圧監視部１０と、比較部５と、制御部８とによってＯＮ／ＯＦＦ機能の故障診断が行われる。電力増幅部３は電源１またはＤＣ／ＤＣコンバータ２から電源が供給され、入力される送信信号電力を増幅して出力する機能をもつ。
【００２７】
第１電圧監視部４は電力増幅部３に供給される電源電圧を監視し、アナログ電圧をディジタル値へと変換を行うＡ／Ｄ（アナログ／ディジタル）コンバータを内蔵する。第２電圧監視部１０は電源１の電圧を監視し、アナログ電圧をディジタル値へと変換を行うＡ／Ｄコンバータを内蔵する。
【００２８】
比較部５は第１電圧監視部４にてＡ／Ｄ変換されかつ電力増幅部３に供給される電源電圧と、ＤＣ／ＤＣコンバータ制御テーブル６から出力されるＤＣ／ＤＣコンバータ出力電圧目標値とを比較した差分や、第１電圧監視部４にてＡ／Ｄ変換されかつ電力増幅部３に供給される電源電圧と、第２電圧監視部１０にてＡ／Ｄ変換された電源１の電圧とを比較した差分を出力する機能を持つ。
【００２９】
ＤＣ／ＤＣコンバータ制御テーブル６は電力増幅器３の電力変換効率または動作特性が最適になるように、予め決められたＤＣ／ＤＣコンバータ２の出力電圧値と、その時の制御電圧値とを格納している。また、ＤＣ／ＤＣコンバータ制御テーブル６は電源１の電圧によってＤＣ／ＤＣコンバータ２をバイパスする条件となる電圧値を格納している。
【００３０】
制御部８はＤＣ／ＤＣコンバータ制御テーブル６が持つＤＣ／ＤＣコンバータ制御電圧値と、比較部５から出力される誤差とを加算し、ＤＣ／ＤＣコンバータ制御電圧生成部９に制御値として設定する。また、制御部８は比較部５から出力される第１電圧監視部４と第２電圧監視部１０との差分値を基にバイパスＳＷ１１のＯＮ／ＯＦＦ故障診断を行う機能を持つ。
【００３１】
ＤＣ／ＤＣコンバータ制御電圧生成部９はＤ／Ａ（ディジタル／アナログ）コンバータを持ち、制御部８から設定されるディジタル値をアナログ電圧に変換し、ＤＣ／ＤＣコンバータ２を制御する電圧として出力する。
【００３２】
図２〜図４は本発明の一実施例による電源装置を制御する方法を説明するための図であり、図５は図１の制御部８による電圧制御処理を示すフローチャートである。これら図２〜図５を参照して本発明の一実施例による電源装置を制御する方法について説明する。
【００３３】
制御部８はＤＣ／ＤＣコンバータ出力制御テーブル６が持っている制御電圧値のディジタル値Ｖｒｅｆと、比較部５の出力する誤差値Ｖｅｒｒとを加算した結果をＶｒｅｆ’としてＤＣ／ＤＣコンバータ制御電圧生成部９内のＤ／Ａコンバータに設定する（図５ステップＳ１）。このＶｒｅｆは電力増幅器３の電力変換効率または動作特性が最適になるような電源電圧をＤＣ／ＤＣコンバータ２が出力するように決められた制御電圧値である。
【００３４】
ＤＣ／ＤＣコンバータ２の出力電圧Ｖｏは電力増幅部３に供給されるが、その出力電圧Ｖｏは第１電圧監視部４内のＡ／Ｄコンバータによって監視され、アナログ電圧からディジタル値Ｖｏ’に変換される。
【００３５】
この値は比較部５によってＤＣ／ＤＣコンバータ制御テーブル６が持っているＤＣ／ＤＣコンバータ出力電圧目標値のディジタル値（ここでは、制御電圧を同じＶｒｅｆとしている）との差分が計算され、制御部８に対して誤差値Ｖｅｒｒとして出力される（図５ステップＳ２）。制御部８は誤差値がゼロになるように、ＤＣ／ＤＣコンバータ制御電圧生成部９内のＤ／Ａコンバータに設定する値を計算して制御を行う（図５ステップＳ３）。
【００３６】
図３は動作直後の１回目のループ動作時を示したものである。制御部８はＤＣ／ＤＣコンバータ制御テーブル６が持つＤＣ／ＤＣコンバータ制御電圧ＶｒｅｆをＤＣ／ＤＣコンバータ制御電圧生成部９に設定する。ここでＤ／Ａ変換される際、誤差分ｅ１が加算され、
Ｖｒｅｆ’＝Ｖｒｅｆ＋ｅ１
の電圧がＤＣ／ＤＣコンバータ制御電圧生成部９内のＤＣ／ＤＣコンバータに入力される。
【００３７】
ＤＣ／ＤＣコンバータ出力電圧Ｖｏは誤差分ｅ２がさらに加算され、
Ｖｏ＝Ｖｒｅｆ＋ｅ１＋ｅ２
になる。第１電圧監視部４の出力はここでの誤差分ｅ３が加算され、
Ｖｏ’＝Ｖｒｅｆ＋ｅ１＋ｅ２＋ｅ３
となる。
【００３８】
次に、比較部５ではＤＣ／ＤＣコンバータ制御テーブル６がもつＶｒｅｆとの差分、
Ｖｅｒｒ＝Ｖｒｅｆ−（Ｖｒｅｆ＋ｅ１＋ｅ２＋ｅ３）
を計算し、誤差値として、
Ｖｅｒｒ＝−（ｅ１＋ｅ２＋ｅ３）
を出力する。
【００３９】
図４は２回目のループ動作時を示したものである。制御部８内の加算部８１では１回目のループで比較部５が出力する誤差値［Ｖｅｒｒ＝−（ｅ１＋ｅ２＋ｅ３）］とＤＣ／ＤＣコンバータ制御テーブル６がもつＶｒｅｆとの差分、
Ｖｒｅｆ’＝Ｖｒｅｆ＋｛−（ｅ１＋ｅ２＋ｅ３）｝
を計算し、ＤＣ／ＤＣコンバータ制御電圧生成部９に設定する。
【００４０】
ここで、Ｄ／Ａ変換される際に誤差分ｅ１が加算され、誤差分ｅ１が打ち消され、
Ｖｒｅｆ’’＝Ｖｒｅｆ＋｛−（ｅ２＋ｅ３）｝
の電圧がＤＣ／ＤＣコンバータ制御電圧生成部９内のＤＣ／ＤＣコンバータに入力される。
【００４１】
ＤＣ／ＤＣコンバータ出力電圧Ｖｏは誤差分ｅ２が加算されるが、これも打ち消されて、
Ｖｏ＝Ｖｒｅｆ−ｅ３
になる。
【００４２】
３回目以降は、上記の１回目及び２回目のループが繰り返されることになるため、１回目及び２回目のＶｏの平均値をとると、
Ｖｏ＝Ｖｒｅｆ＋（ｅ１＋ｅ２−ｅ３）／２
となる。
【００４３】
これと従来の方式との差分を計算すると、
2004179922.tif 000003
となる。
【００４４】
ここで、誤差分ｅ１，ｅ２，ｅ３を比べると、ＤＣ／ＤＣコンバータ２の出力電圧誤差である誤差分ｅ２をＤＣ／ＤＣコンバータ２内部だけで小さくするには、高精度の部品や新たな補正回路追加が必要になり、コスト増や回路の大規模化を招くことになる。
【００４５】
これに対して、誤差分ｅ１，ｅ３はＤ／ＡコンバータとＡ／Ｄコンバータとの誤差であるが、これらは今日の技術発達によってＩＣ（集積回路）内に集積化することが容易であり、回路規模を大きくすることなく、誤差を低減し、電圧精度を良くすることができる。
【００４６】
ここで、Ｄ／ＡコンバータとＡ／Ｄコンバータとの誤差を同等として、ｅ１＝ｅ３とすると、従来方式との差分は、ｅ１＋ｅ２／２となり、ＤＣ／ＤＣコンバータ２の誤差を半分にすることができるのがわかる。
【００４７】
図６及び図７は図１のバイパスＳＷ１１の動作を説明するための図である。これら図６及び図７を参照してバイパスＳＷ１１の動作を説明すると、制御部８は第２電圧監視部１０から出力された電源１の電圧Ｖ１と、ＤＣ／ＤＣコンバータ制御テーブル６内のＤＣ／ＤＣコンバータのバイパス切替え電圧Ｖ２とを比較する。
【００４８】
図７に示すように、電源１の電圧Ｖ１がバイパス切替え電圧Ｖ２より高い場合には、バイパスＳＷ１１をＯＦＦにし、ＤＣ／ＤＣコンバータ２を選択する。逆に、電源１の電圧Ｖ１が低い場合には、バイパス切替え電圧Ｖ２より低ければ、バイパスＳＷ１１をＯＮにして電力増幅部３に電源１を供給する。これらの切替え電圧Ｖ２は電力増幅器３の電力変換効率または動作特性が最適になるように決められる。
【００４９】
図８は図１のバイパスＳＷ１１のＯＮ／ＯＦＦ故障診断動作を説明するための図であり、図９は図１の制御部８によるバイパスＳＷ１１のＯＮ／ＯＦＦ故障診断動作を示すフローチャートである。これら図８及び図９を参照してバイパスＳＷ１１のＯＮ／ＯＦＦ故障診断動作を説明する。
【００５０】
まず、制御部８はバイパスＳＷ１１をＯＮ状態（ＤＣ／ＤＣコンバータ２をバイパス）に制御する（図９ステップＳ１１）。この状態にて、比較部５では第２電圧監視部１０にて監視されたバイパスＳＷ１１の入力電圧Ｖ１と第１電圧監視部４にて監視されたバイパスＳＷ１１の出力側の電圧Ｖ３とを比較し（図９ステップＳ１２）、ほぼ同じ電圧であり、正常と判断できる電圧差以内であれば（図９ステップＳ１３）、バイパスＳＷ１１が正常にＯＮできていると診断することができる（図９ステップＳ１４）。
【００５１】
次に、制御部８はバイパスＳＷ１１をＯＦＦ状態に制御し（図９ステップＳ１５）、上記と同じようにバイパスＳＷ１１の入出力の電圧を比較し（図９ステップＳ１６）、正常と判断することができる電圧差が検出されれば（図９ステップＳ１７）、バイパスＳＷ１１が正常にＯＦＦできていると診断することができる（図９ステップＳ１８）。尚、制御部８は上記の電圧差が検出されなければ（図９ステップＳ１３，Ｓ１７）、それぞれバイパスＳＷ１１を異常と診断する（図９ステップＳ１９，Ｓ２０）。
【００５２】
このように、本実施例では、ＤＣ／ＤＣコンバータ２の出力電圧を監視する手段を持ち、ＤＣ／ＤＣコンバータ２の出力電圧と目標電圧との誤差がゼロになるように、ＤＣ／ＤＣコンバータ制御電圧を可変するような自己補正を行うことによって、電力増幅部３に供給する電源電圧精度を向上させることができるとともに、電源電圧精度のばらつきによる電力増幅部３の電力利得ばらつき及び消費電流のばらつきを改善することができる。
【００５３】
また、本実施例ではバイパスＳＷ１１のＯＮ／ＯＦＦ時のバイパスＳＷ１１の入出力電圧を監視して比較する機能を持つことによって、外部に監視する手段を必要とすることなく、バイパスＳＷ１１のＯＮ／ＯＦＦ故障診断を行うことができる。
【００５４】
【発明の効果】
以上説明したように本発明の電源装置は、入力される送信信号電力を増幅して出力する電力増幅回路に供給される電源電圧を電力増幅回路の電力変換効率及び動作特性のいずれかが最適になるような電圧に変換するＤＣ／ＤＣコンバータ回路を含む電源装置において、電力増幅回路に供給される電圧を監視してその検出された電力増幅回路への電源電圧と予め格納されたＤＣ／ＤＣコンバータ回路の制御電圧値とを比較してそれらの差分を出力し、この差分がゼロになるようにＤＣ／ＤＣコンバータ回路を制御することによって、電力増幅部に供給する電源電圧精度を向上させることができ、電源電圧精度のばらつきによる電力増幅部の電力利得ばらつき及び消費電流のばらつきを改善することができるという効果が得られる。
【００５５】
また、本発明の他の電源装置は、電源電圧を監視してその検出された電源電圧と、検出された電力増幅回路への電源電圧とを基にＤＣ／ＤＣコンバータ回路をバイパスするバイパス回路のＯＮ／ＯＦＦ機能の故障診断を行うことによって、外部に監視する手段を必要とすることなく、バイパススイッチのＯＮ／ＯＦＦ故障診断を行うことができるという効果が得られる。
【図面の簡単な説明】
【図１】本発明の一実施例による電源装置を制御する回路の構成を示すブロック図である。
【図２】本発明の一実施例による電源装置を制御する方法を説明するための図である。
【図３】本発明の一実施例による電源装置を制御する方法を説明するための図である。
【図４】本発明の一実施例による電源装置を制御する方法を説明するための図である。
【図５】図１の制御部による電圧制御処理を示すフローチャートである。
【図６】図１のバイパスＳＷの動作を説明するための図である。
【図７】図１のバイパスＳＷの動作を説明するための図である。
【図８】図１のバイパスＳＷのＯＮ／ＯＦＦ故障診断動作を説明するための図である。
【図９】図１の制御部によるバイパスＳＷのＯＮ／ＯＦＦ故障診断動作を示すフローチャートである。
【図１０】従来の制御方法を用いた回路の構成を示すブロック図である。
【図１１】ＤＣ／ＤＣコンバータの内部構成を示す図である。
【図１２】従来の制御方法を用いた回路の動作を示す図である。
【図１３】従来の制御方法を用いた回路の他の構成を示すブロック図である。
【符号の説明】
１  電源
２  ＤＣ／ＤＣコンバータ
３  電力増幅器
４  第１電圧監視部
５  比較部
６  ＤＣ／ＤＣコンバータ制御テーブル
８  制御部
９  ＤＣ／ＤＣコンバータ制御電圧生成部
１０  第２電圧監視部
１１  バイパスＳＷ
８１  加算部
【図１】
2004179922.tif 000004
【図２】
2004179922.tif 000005
【図３】
2004179922.tif 000006
【図４】
2004179922.tif 000007
【図５】
2004179922.tif 000008
【図６】
2004179922.tif 000009
【図７】
2004179922.tif 000010
【図８】
2004179922.tif 000011
【図９】
2004179922.tif 000012
【図１０】
2004179922.tif 000013
【図１１】
2004179922.tif 000014
【図１２】
2004179922.tif 000015
【図１３】
2004179922.tif 000016